(57)【要約】【課題】結露を確実に除去できるようにすること。【解決手段】画像形成装置１００は、画像形成装置１００の周囲の温度を計測する温湿度検出部１０２と、画像形成装置１００の内部の除湿を行う除湿部１０６と、温湿度検出部１０２で検出された温度の変化に基づいて、除湿部１０６を動作させる除湿決定部１３５とを備える。【選択図】図１
2017044775.tif 000002
【特許請求の範囲】
【請求項１】
媒体に画像を形成する画像形成装置であって、
前記画像形成装置の周囲の温度を検出する温度検出部と、
前記画像形成装置の内部の除湿を行う除湿部と、
前記温度検出部で検出された温度の変化に基づいて、前記除湿部を動作させる除湿決定部と、を備えること
を特徴とする画像形成装置。
【請求項２】
時刻を計測する計時部と、
予め定められた時間毎に、前記計時部で計測された時刻、及び、前記計時部で計測された時刻において前記温度検出部で検出された温度、を取得する情報処理部と、
前記情報処理部で取得された時刻及び温度の組み合わせを複数格納した履歴情報を記憶する記憶部と、をさらに備え、
前記除湿決定部は、前記履歴情報に基づいて、前記除湿部を動作させること
を特徴とする請求項１に記載の画像形成装置。
【請求項３】
前記除湿決定部は、前記画像形成装置の消費電力が増加する時よりも前の予め定められた時間内に、予め定められた温度変化がある場合に、前記除湿部を動作させること
を特徴とする請求項２に記載の画像形成装置。
【請求項４】
前記画像形成装置の消費電力が増加する時は、前記画像形成装置が、省電力モードから、当該省電力モードよりも消費電力の多い電力消費モードに移行する時であること
を特徴とする請求項３に記載の画像形成装置。
【請求項５】
前記省電力モードにおいて、前記計時部、前記情報処理部及び前記記憶部に電力を供給する第１電源供給部と、
前記電力消費モードにおいて、前記除湿部及び前記除湿決定部に電力を供給する第２電源供給部と、をさらに備えること
を特徴とする請求項４に記載の画像形成装置。
【請求項６】
前記画像形成装置の各部に電力を供給する電源供給部をさらに備え、
前記画像形成装置の消費電力が増加する時は、前記電源供給部から電力を供給する部分が増える時であること
を特徴とする請求項３に記載の画像形成装置。
【請求項７】
前記予め定められた温度変化がある場合は、前記画像形成装置の消費電力が増加する時に前記温度検出部で計測された温度と、前記履歴情報に格納されている温度との間の変化量が、予め定められた閾値以上である場合であること
を特徴とする請求項３から６の何れか一項に記載の画像形成装置。
【請求項８】
前記予め定められた温度変化がある場合は、前記履歴情報に格納されている温度から、前記画像形成装置の消費電力が増加する時に前記温度検出部で計測された温度への上昇量が、予め定められた閾値以上である場合であること
を特徴とする請求項３から６の何れか一項に記載の画像形成装置。
【請求項９】
前記除湿決定部は、前記履歴情報を参照して、前記画像形成装置の消費電力が増加する時に前記温度検出部で計測された温度に対して前記予め定められた温度変化がある場合の温度が計測された時刻から、前記画像形成装置の消費電力が増加する時に前記時刻で計測された時刻までの経過時間が短いほど、前記除湿部を動作させる時間を長くすること
を特徴とする請求項７又は８に記載の画像形成装置。
【請求項１０】
媒体に画像を形成する画像形成装置の除湿方法であって、
前記画像形成装置の周囲の温度を検出し、
検出された温度の変化に基づいて、前記画像形成装置の内部の除湿を行うこと
を特徴とする除湿方法。
【発明の詳細な説明】
【技術分野】
【０００１】
本発明は、画像形成装置及びその除湿方法に関する。
【背景技術】
【０００２】
従来の画像形成装置は、電源投入時に、気温センサで測定された気温が基準温度よりも低い場合に、ファンを回転させることで、感光体の結露を防止していた（例えば、特許文献１を参照）。
【先行技術文献】
【特許文献】
【０００３】
【特許文献１】特開２００４−６１５５３号公報
【発明の概要】
【発明が解決しようとする課題】
【０００４】
しかしながら、従来の画像形成装置は、気温の変化については考慮されておらず、発生した結露を除去できないおそれがあった。
【０００５】
そこで、本発明は、結露を確実に除去できるようにすることを目的とする。
【課題を解決するための手段】
【０００６】
本発明の一態様に係る画像形成装置は、媒体に画像を形成する画像形成装置であって、前記画像形成装置の周囲の温度を検出する温度検出部と、前記画像形成装置の内部の除湿を行う除湿部と、前記温度検出部で検出された温度の変化に基づいて、前記除湿部を動作させる除湿決定部と、を備えることを特徴とする。
【０００７】
本発明の一態様に係る除湿方法は、媒体に画像を形成する画像形成装置の除湿方法であって、前記画像形成装置の周囲の温度を検出し、検出された温度の変化に基づいて、前記画像形成装置の内部の除湿を行うことを特徴とする。
【発明の効果】
【０００８】
本発明の一態様によれば、結露を確実に除去することができる。
【図面の簡単な説明】
【０００９】
【図１】実施の形態１に係る画像形成装置の構成を概略的に示すブロック図である。
【図２】実施の形態１における履歴情報の一例を示す概略図である。
【図３】実施の形態１に係る画像形成装置１００が設置されている環境の温度変化の一例を示す概略図である。
【図４】実施の形態１における除湿時間情報の一例を示す概略図である。
【図５】実施の形態１に係る画像形成装置の除湿動作を示すフローチャートである。
【発明を実施するための形態】
【００１０】
実施の形態１．
（構成の説明）
図１は、実施の形態１に係る画像形成装置１００の構成を概略的に示すブロック図である。なお、実施の形態１に係る除湿方法は、画像形成装置１００により実行される。
画像形成装置１００は、電源スイッチ部１０１と、温湿度検出部１０２と、Ｉ／Ｆ部１０３と、エンジン部１０４と、プロセス部１０５と、除湿部１０６と、電源供給部１１０と、サブ制御部としての電源制御部１２０と、主制御部としての制御部１３０とを備える。画像形成装置は、媒体に画像を形成する装置である。
【００１１】
電源スイッチ部１０１は、画像形成装置１００の電源のＯＮ又はＯＦＦの入力を受け付ける。例えば、電源スイッチ部１０１は、電源用のスイッチ等の入力装置により実現することができる。
温湿度検出部１０２は、画像形成装置１００の周囲（外部）の温度（環境温度）を検出する温度検出部と、画像形成装置１００の周囲（外部）の湿度（環境湿度）を検出する湿度検出部として機能する。例えば、温湿度検出部１０２は、温度センサ及び湿度センサにより実現することができる。
Ｉ／Ｆ部１０３は、画像形成装置１００の外部の装置とデータを送受信する。例えば、Ｉ／Ｆ部１０３は、上位装置としてのホストＰＣ（Ｐｅｒｓｏｎａｌ  Ｃｏｍｐｕｔｅｒ）から印刷データ（画像形成データ）を受信する。例えば、Ｉ／Ｆは、ＮＩＣ（Ｎｅｔｗｏｒｋ  Ｉｎｔｅｒｆａｃｅ  Ｃａｒｄ）等の、通信用のインタフェースにより実現することができる。
【００１２】
エンジン部１０４は、モーター、クラッチ及びファン等のアクチュエーターで構成され、媒体搬送及び装置冷却を行う。
プロセス部１０５は、現像ユニット及び定着ユニット等で構成され、媒体上への画像形成及び定着を行う。
エンジン部１０４及びプロセス部１０５により、画像を媒体に形成する画像形成実行部が構成される。
【００１３】
除湿部１０６は、画像形成装置１００の内部の除湿を行う。例えば、除湿部１０６は、画像形成装置１００の内部を暖めることにより、除湿を行い、結露を除去する。除湿部１０６は、具体的には、除湿ヒータで構成され、プロセス部１０５の現像ユニット又は画像形成装置１００内の基板等、結露を除去したい部分を暖めることにより、結露を除去する。
なお、除湿部１０６は、複数の箇所に設けられていてもよい。
【００１４】
電源供給部１１０は、電源制御部１２０の指示に応じて、画像形成装置１００の各部に電力を供給する。電源供給部１１０は、第１電源供給部としてのサブ電源供給部１１１と、第２電源供給部としてのメイン電源供給部１１２とを備える。
サブ電源供給部１１１は、電源効率を重視した小容量の電源である。
メイン電源供給部１１２は、高負荷時の電源効率を重視した大容量の電源である。
【００１５】
電源制御部１２０は、画像形成装置１００における電源の管理を行う。例えば、電源制御部１２０は、電源供給部１１０を制御することで、画像形成装置１００における電源の管理を行う。なお、電源制御部１２０は、サブ電源供給部１１１から電力の供給を受けることで、画像形成装置１００の電源がＯＦＦの場合でも、処理を行うことができる。
電源制御部１２０は、電源スイッチ監視部１２１と、メイン電源制御部１２２と、計時部１２３と、情報処理部１２４と、記憶部１２５とを備える。
【００１６】
電源スイッチ監視部１２１は、電源スイッチ部１０１を監視し、電源スイッチ部１０１が押下されたか否かを検出する。電源スイッチ監視部１２１は、電源スイッチ部１０１が押下された場合には、押下通知をメイン電源制御部１２２に与える。
メイン電源制御部１２２は、メイン電源供給部１１２からの電力の供給を制御する。メイン電源制御部１２２は、画像形成装置１００のモードに応じて、メイン電源供給部１１２からの電力の供給を制御する。例えば、メイン電源制御部１２２は、電源スイッチ監視部１２１からの押下通知に従って、メイン電源供給部１１２から制御部１３０への電力の供給を制御する。具体的には、メイン電源供給部１１２は、画像形成装置１００の電源がＯＦＦの際に、電源スイッチ監視部１２１からの押下通知を受けた場合には、制御部１３０への電力の供給を開始する。一方、メイン電源供給部１１２は、画像形成装置１００の電源がＯＮの際に、電源スイッチ監視部１２１からの押下通知を受けた場合には、制御部１３０への電力の供給を停止する。
【００１７】
計時部１２３は、時刻を計測する。画像形成装置１００は、計時部１２３で計測されている時刻を現在時刻とする。
情報処理部１２４は、計時部１２３で計測された時刻と、その時刻において温湿度検出部１０２で検出された温度及び湿度とを取得して、これらの組み合わせを記憶部１２５に記憶する。例えば、情報処理部１２４は、計時部１２３から時刻を取得し、予め定められた時間（例えば、１時間）経過する毎に、温湿度検出部１０２から温度及び湿度を取得して、時刻、温度及び湿度を関連付けて記憶部１２５に記憶させる。
【００１８】
記憶部１２５は、情報処理部１２４から与えられる時刻、温度及び湿度の組み合わせを複数格納する履歴情報を記憶する。
図２は、記憶部１２５に記憶される履歴情報の一例を示す概略図である。
履歴情報１２６は、時刻列１２６ａと、温度／湿度列１２６ｂとを有するテーブル形式の情報である。
時刻列１２６ａは、時刻を格納する。
温度／湿度列１２６ｂは、時刻列１２６ａに格納された時刻に計測された温度及び湿度を格納する。
図２は、画像形成装置１００が設置されている環境（周囲）の温度が、図３に示されているように変化した場合に取得される温度及び湿度の一例である。図２に示されているように、記憶部１２５には、１時間毎に、時刻とその時刻における温度及び湿度とが記憶される。
【００１９】
制御部１３０は、画像形成装置１００における主制御を行う。例えば、制御部１３０は、画像形成装置１００において媒体に画像を形成する処理を制御する。
制御部１３０は、Ｉ／Ｆ管理部１３１と、画処理部１３２と、エンジン制御部１３３と、プロセス制御部１３４と、除湿決定部１３５とを備える。
【００２０】
Ｉ／Ｆ管理部１３１は、Ｉ／Ｆ部１０３を管理して、Ｉ／Ｆ部１０３を介したデータの送受信を制御する。例えば、Ｉ／Ｆ管理部１３１は、Ｉ／Ｆ部１０３が受信した印刷データを受け取り、画処理部１３２に与える。
画処理部１３２は、Ｉ／Ｆ管理部１３１から与えられた印刷データから、プロセス部１０５で形成する画像の画像データを生成する。
エンジン制御部１３３は、エンジン部１０４を制御する。
プロセス制御部１３４は、プロセス部１０５を制御する。
【００２１】
除湿決定部１３５は、温湿度検出部１０２で検出された温度の変化に基づいて、除湿部１０６を動作させる。例えば、除湿決定部１３５は、記憶部１２５に記憶されている履歴情報１２６に基づいて、除湿部１０６を動作させる。具体的には、除湿決定部１３５は、画像形成装置１００の消費電力が増加する時よりも前の予め定められた時間内に、予め定められた温度変化がある場合に、除湿部１０６を動作させる。言い換えると、除湿決定部１３５は、温度変化により除湿の必要がある場合に、除湿部１０６を動作させる。
除湿決定部１３５は、環境変化判定部１３６と、除湿時間決定部１３７と、除湿制御部１３８とを備える。
【００２２】
環境変化判定部１３６は、画像形成装置１００において電力の消費量が増える際に、記憶部１２５に記憶される履歴情報１２６を参照して、予め定められた時間内に、予め定められた温度変化があったか否かを判定する。例えば、環境変化判定部１３６は、画像形成装置１００の消費電力が増加する時に温湿度検出部１０２で検出された温度と、画像形成装置１００の消費電力が増加する時よりも前の予め定められた時間内において、履歴情報１２６に格納されている温度とを比較して、これらの変化量が、予め定められた閾値以上であるか否かを判断する。
環境変化判定部１３６は、予め定められた時間内に、予め定められた温度変化があった場合には、除湿時間決定部１３７に通知を行う。環境変化判定部１３６は、そのような温度変化のあった時刻から、画像形成装置１００において電力の消費量が増える時に計時部１２３で計測された時刻（現在時刻）までの経過時間を算出し、算出された経過時間をそのような通知に含める。
【００２３】
除湿時間決定部１３７は、環境変化判定部１３６から通知される経過時間に基づいて、除湿時間を決定する。例えば、除湿時間決定部１３７は、経過時間が短いほど、除湿時間が長くなるようにする。
具体的には、除湿時間決定部１３７は、除湿時間記憶部１３７ａを備え、除湿時間記憶部１３７ａに記憶されている除湿時間情報を参照して、除湿時間を決定する。
【００２４】
図４は、除湿時間記憶部１３７ａに記憶されている除湿時間情報の一例を示す概略図である。
除湿時間情報１３９は、経過時間列１３９ａと、除湿時間列１３９ｂとを備える。
経過時間列１３９ａは、経過時間の範囲を格納する。例えば、図４では、「１時間未満」、「１時間以上２時間未満」、「２時間以上３時間未満」及び「３時間以上４時間未満」の範囲が格納されている。なお、図４に示されている範囲は、１例であって、これに限定されるものではない。
除湿時間列１３９ｂは、経過時間列１３９ａで示される範囲における除湿時間を格納する。
除湿時間決定部１３７は、除湿時間情報１３９を参照して、環境変化判定部１３６から通知された経過時間が含まれる経過時間の範囲に対応する除湿時間を決定する。そして、除湿時間決定部１３７は、決定された除湿時間を除湿制御部１３８に与える。
【００２５】
除湿制御部１３８は、除湿部１０６を制御する。例えば、除湿制御部１３８は、除湿時間決定部１３７から与えられる除湿時間、除湿部１０６を動作させて、除湿を行う。
【００２６】
以上に記載された電源制御部１２０及び制御部１３０は、メモリ及びＣＰＵ（Ｃｅｎｔｒａｌ  Ｐｒｏｃｅｓｓｉｎｇ  Ｕｎｉｔ）を備える処理回路により実現することができる。処理回路は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又は、これらを組み合わせたものであってもよい。
【００２７】
（動作の説明）
まず、画像形成装置１００のモードについて説明する。
本実施の形態では、画像形成装置１００のモードとして、省電力モードと、省電力モードよりも消費電力の大きい電力消費モードとが設けられているものとする。例えば、省電力モードは、画像形成装置１００の電源がＯＦＦにされているモードで、電力消費モードは、画像形成装置１００の電源がＯＮにされているモードである。
【００２８】
上述のように、画像形成装置１００の電源がＯＦＦにされている場合には、サブ電源供給部１１１から、電源スイッチ部１０１、温湿度検出部１０２及び電源制御部１２０に電力が供給されている。これにより、電源制御部１２０は、電源スイッチ部１０１の監視と、温湿度検出部１０２により検出された環境温度及び環境湿度の履歴の取得を行っている。
【００２９】
また、画像形成装置１００の電源がＯＮにされている場合には、サブ電源供給部１１１から上記部分に電力が供給されているほか、メイン電源供給部１１２から、Ｉ／Ｆ部１０３、エンジン部１０４、プロセス部１０５、除湿部１０６及び制御部１３０に電力が供給されている。これにより、電源ＯＦＦ時の処理の他、印刷データを受信して印刷を行う処理及び環境変化を検知して除湿を行う処理が行われる。
従って、省電力モードから電力消費モードに移行すると、電力が供給される部分が増えるため、消費電力が増える。
このため、除湿決定部１３５は、省電力モードから電力消費モードに移行する時、又は、電力が供給される部分が増える時を、画像形成装置１００の消費電力が増加する時とする。
【００３０】
図５は、実施の形態１に係る画像形成装置１００の除湿動作を示すフローチャートである。
ユーザが電源スイッチ部１０１を操作したことを電源スイッチ監視部１２１が検出すると（Ｓ１０でＹｅｓ）、メイン電源制御部１２２は、メイン電源供給部１１２を起動し、画像形成装置１００の電源をＯＮにする（Ｓ１１）。ここでは、メイン電源制御部１２２は、メイン電源供給部１１２から制御部１３０への給電を行う。これにより、制御部１３０は起動する。
【００３１】
次に、環境変化判定部１３６は、温湿度検出部１０２から、電源ＯＮ時の温度（電力消費増加時の温度）を取得する（Ｓ１２）。このとき、環境変化判定部１３６は、電源制御部１２０の計時部１２３から、現在時刻を取得する。
そして、環境変化判定部１３６は、電源ＯＮ時の温度と、記憶部１２５に記憶される履歴情報１２６に記憶されている温度とを比較して、現在時刻よりも前の予め定められた時間（例えば、５時間）内の温度変化量が、予め定められた閾値（例えば、１０℃）以上であるか否かを判断する（Ｓ１３）。
【００３２】
例えば、「８：００」に電源が入れられた場合、図２に示されているように、電源ＯＮ時の温度は、「７℃」である。環境変化判定部１３６は、この温度と、記憶部１２５に記憶されている過去５時間の温度履歴と比較する。この場合では、環境変化判定部１３６は、電源ＯＮ時の温度と、「３：００」までの１時間毎の温度との各々の差を確認する。ここでの温度変化量は、最大「１℃」であるため、環境変化判定部１３６は、予め定められた時間内の温度変化量が、予め定められた閾値未満であると判定する。
【００３３】
一方、例えば、「１０：００」に電源が入れられた場合、図２に示されているように、電源ＯＮ時の温度は、「２０℃」である。この場合、「９：００」の温度「１０℃」との間の温度変化量が「１０℃」であるため、環境変化判定部１３６は、予め定められた時間内の温度変化量が、予め定められた閾値以上であると判定する。この場合、環境変化判定部１３６は、現在時刻と、このような温度変化が認められた時刻との間の経過時間（ここでは、１時間）を除湿時間決定部１３７に通知する。
【００３４】
また、例えば、「１２：００」に電源が入れられた場合、図２に示されているように、電源ＯＮ時の温度は、「２３℃」である。この場合、「９：００」の温度との温度変化量が「１３℃」であるため、閾値以上の温度変化量があることになる。この場合には、経過時間は３時間となる。
【００３５】
なお、経過時間は、電源ＯＮ時の温度の温度変化量が閾値以上となった最も遅い時刻と現在時刻との間の時間である。このため、ステップＳ１３では、環境変化判定部１３６は、電源ＯＮ時の温度と、温度履歴とを、現在時刻に近い時刻の温度から順に比較をしていき、予め定められた閾値以上の温度変化量が検出された時点で、温度の比較処理を終了することができる。
【００３６】
そして、予め定められた時間内の温度変化量が、予め定められた閾値未満である場合（Ｓ１３でＮｏ）には、処理はステップＳ１４に進み、予め定められた時間内の温度変化量が、予め定められた閾値以上である場合（Ｓ１３でＹｅｓ）には、処理はステップＳ１５に進む。
【００３７】
ステップＳ１４では、画像形成装置１００は、通常のイニシャル動作を行う。例えば、エンジン制御部１３３及びプロセス制御部１３４は、エンジン部１０４及びプロセス部１０５を初期化する。この場合、エンジン部１０４及びプロセス部１０５には、メイン電源供給部１１２から電力が供給される。
【００３８】
ステップＳ１５では、除湿時間決定部１３７は、環境変化判定部１３６から経過時間を取得する。
そして、除湿時間決定部１３７は、除湿時間情報１３９を参照して、取得された経過時間に対応する除湿時間を決定する（Ｓ１６）。例えば、上述のように、経過時間が１時間であった場合、除湿時間は４０秒となり、経過時間が３時間であった場合には、除湿時間は１０秒となる。そして、除湿時間決定部１３７は、決定された除湿時間を除湿制御部１３８に与える。
【００３９】
除湿制御部１３８は、除湿部１０６を動作させる（Ｓ１７）。これにより、画像形成装置１００の内部は、暖気され、結露が除去される。
次に、除湿制御部１３８は、除湿時間が経過したか否かを判断する（Ｓ１８）。除湿時間が経過した場合（Ｓ１８でＹｅｓ）には、処理はステップＳ１９に進む。
ステップＳ１９では、除湿制御部１３８は、除湿部１０６を停止する。
そして、画像形成装置１００は、イニシャル動作を行う（Ｓ２０）。
【００４０】
以上のように、実施の形態１では、低消費電力で動作可能な電源制御部１２０の記憶部１２５に、予め定められた時間毎に温湿度が記憶される。このため、画像形成装置１００の電源がＯＦＦの状態でも、画像形成装置１００の設置されている温度の変化を確認することができる。
このため、より確実に、画像形成装置１００内の結露状態を予想することができるため、確実に結露を除去することができる。
【００４１】
以上に記載された実施の形態１は、温度及び湿度の記録を１時間毎に行っているが、その他の時間であってもよい。例えば、３０分毎に記録を行うことで、より詳細な履歴を記録することができる。
【００４２】
以上に記載された実施の形態１では、環境変化判定部１３６は、図５のステップＳ１３で温度変化量が閾値以上であるか否かを判断しているが、例えば、温度の上昇量が予め定められた閾値以上であるか否かを判断してもよい。一般的に、環境温度が上昇する場合に結露が発生しやすいため、環境変化判定部１３６は、予め定められた時間内における温度の上昇量が予め定められた閾値以上となるか否かを判断することで、より確実に結露の発生を推定することができる。
【００４３】
以上に記載された実施の形態１では、温度変化の閾値を湿度条件によらず一定としているが、例えば、環境湿度によって、温度変化の閾値が変更されてもよい。具体的には、湿度が高いほど、閾値を小さくすることができる。
また、例えば、環境変化判定部１３６が、予め定められた時間（例えば、５時間）内の温度変化量が、予め定められた閾値以上であると判定した場合でも、電源ＯＮ時の湿度が予め定められた閾値未満である場合には、除湿制御部１３８は、除湿部１０６を動作させないようにしてもよい。さらに、環境変化判定部１３６は、電源ＯＮ時の湿度が予め定められた閾値未満である場合には、温度変化量の算出を行わないで、画像形成装置１００は、通常のイニシャル動作を開始してもよい。
さらに、除湿時間決定部１３７は、電源ＯＮ時の湿度が高ければ高いほど、除湿時間を長くしてもよい。例えば、除湿時間決定部１３７は、電源ＯＮ時の湿度の値に応じた係数を、除湿時間情報１３９に格納されている除湿時間に乗算してもよく、また、電源ＯＮ時の湿度の値に応じた値を、除湿時間情報１３９に格納されている除湿時間に加算してもよい。
【００４４】
以上に記載された実施の形態１では、省電力モードが電源ＯＦＦ状態、電力消費モードが電源ＯＮ状態として説明したが、このような例に限定されるものではない。
例えば、省電力モードがスリープモードで、電力消費モードが待機モード又は印刷モード（画像形成モード）であってもよい。
例えば、スリープモードでは、メイン電源供給部１１２から制御部１３０のＩ／Ｆ部１０３及びＩ／Ｆ管理部１３１に電力が供給されている。そして、スリープモードにおいて、例えば、Ｉ／Ｆ部１０３が上位装置から印刷データを受信した場合に、メイン電源供給部１１２から、制御部１３０の他の部分に電力が供給されて、画像形成装置１００は待機モード又は印刷モードとなる。待機モード又は印刷モードでは、エンジン部１０４及びプロセス部１０５の少なくとも何れか一方に電力が供給されてもよい。
【００４５】
以上に記載された実施の形態１では、除湿部１０６として、専用の除湿ヒータを設ける構成を説明したが、除湿部１０６として、プロセス部１０５に含まれている図示しない定着器内のヒータを用いてもよい。このような場合には、図５のステップＳ１７で、定着器内のヒータがＯＮにされ、ステップＳ２０のイニシャル動作では、定着器内のヒータの初期化処理を省略することができる。なお、除湿部１０６として定着器内のヒータを用いる場合には、ファン等を設けて、排熱を画像形成装置１００内に循環させてもよい。
【００４６】
以上に記載された実施の形態１では、温度の変化に基づいて、除湿を行うか否かの決定が行われているが、温度の変化の代わりに湿度の変化に基づいて、除湿を行うか否かの決定が行われてもよい。
【符号の説明】
【００４７】
１００  画像形成装置、  １０１  電源スイッチ部、  １０２  温湿度検出部、  １０３  Ｉ／Ｆ部、  １０４  エンジン部、  １０５  プロセス部、  １０６  除湿部、  １１０  電源供給部、  １１１  サブ電源供給部、  １１２  メイン電源供給部、  １２０  電源制御部、  １３０  制御部、  １３１  Ｉ／Ｆ管理部、  １３２  画処理部、  １３３  エンジン制御部、  １３４  プロセス制御部、  １３５  除湿決定部、  １３６  環境変化判定部、  １３７  除湿時間決定部、  １３８  除湿制御部。
【図１】
2017044775.tif 000003
【図２】
2017044775.tif 000004
【図３】
2017044775.tif 000005
【図４】
2017044775.tif 000006
【図５】
2017044775.tif 000007